【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
ａ）ペンタエリスリトール、トリメチロールプロパン、ネオペンチルグリコールまたはそれらの組み合わせを含んでなるポリオールと、
ｂ）脂肪酸部分を含んでなる高オレイン酸大豆油であって、
ｉ）前記油中の脂肪酸部分の６５％より高いＣ１８：１含有量、ならびに
ｉｉ）前記油中の脂肪酸部分の２０％未満の組み合わせられたＣ１８：２およびＣ１８：３の含有量
を有する、高オレイン酸大豆油から誘導される脂肪酸エステルの混合物と
の反応から誘導されるポリオールエステルを含んでなる混合物
を含んでなる誘電流体。
【請求項２】
ａ）脂肪酸部分を含んでなる高オレイン酸大豆油であって、
ｉ）前記油中の脂肪酸部分の６５％より高いＣ１８：１含有量、ならびに
ｉｉ）前記油中の脂肪酸部分の２０％未満の組み合わせられたＣ１８：２およびＣ１８：３の含有量
を含んでなる、高オレイン酸大豆油を提供する工程と、
ｂ）第１の塩基触媒の存在下で、前記高オレイン酸大豆油を、１〜５個の炭素の鎖長を有する脂肪族モノアルコールと反応させ、グリセロールと脂肪酸エステルの混合物とを含んでなる反応混合物を製造する工程と、
ｃ）前記グリセロールを分離および除去する工程と、
ｄ）第２の塩基触媒の存在下で、前記脂肪酸エステルの混合物を、ペンタエリスリトール、トリメチロールプロパン、ネオペンチルグリコールまたはそれらの組み合わせを含んでなるポリオールと反応させ、ポリオールエステルの混合物を製造する工程と
を含んでなる、ポリオールエステルの混合物の調製方法。
【請求項３】
ａ）ペンタエリスリトール、トリメチロールプロパン、ネオペンチルグリコールまたはそれらの組み合わせを含んでなるポリオールと、
ｂ）脂肪酸部分を含んでなる高オレイン酸大豆油であって、
ｉ）前記油中の脂肪酸部分の６５％より高いＣ１８：１含有量、ならびに
ｉｉ）前記油中の脂肪酸部分の２０％未満の組み合わせられたＣ１８：２およびＣ１８：３の含有量
を有する、高オレイン酸大豆油から誘導される脂肪酸エステルの混合物と
の反応から誘導されるポリオールエステルを含んでなる混合物
を含んでなる、誘電流体を含んでなる電気装置。
【請求項４】
少なくとも１０重量％の誘電流体で含浸された誘電物質であって、セルロース紙、合成紙または不織布ウェブを含んでなり、かつ前記誘電流体が、
ａ）ペンタエリスリトール、トリメチロールプロパン、ネオペンチルグリコールまたはそれらの組み合わせを含んでなるポリオールと、
ｂ）脂肪酸部分を含んでなる高オレイン酸大豆油であって、
ｉ）前記油中の脂肪酸部分の６５％より高いＣ１８：１含有量、ならびに
ｉｉ）前記油中の脂肪酸部分の２０％未満の組み合わせられたＣ１８：２およびＣ１８：３の含有量
を有する、高オレイン酸大豆油から誘導される脂肪酸エステルの混合物と
の反応から誘導されるポリオールエステルを含んでなる混合物
を含んでなる、誘電物質。
【手続補正２】
【補正対象書類名】明細書
【補正対象項目名】００７６
【補正方法】変更
【補正の内容】
【００７６】
表２のデータは、実施例のポリオールエステルの混合物は、誘電流体としての使用のために望ましい特性を有することを示す。実施例の流体の発火点および燃焼点は適切に高く、そして合成エステル組成物Ｍｉｄｅｌ（登録商標）７１３１よりも著しく高い。またそれらは、Ｍｉｄｅｌ（登録商標）７１３１および植物油をベースとするＥｎｖｉｒｏｔｅｍｐ（登録商標）ＦＲ３（商標）よりも著しく低い水分含有量を有する。比較例Ｂのポリオールエステル（トリメチロールプロパンおよび商品大豆油から誘導される脂肪酸部分のメチルエステルの混合物の反応から誘導される）との比較において、実施例５の類似のポリオールエステル（トリメチロールプロパンおよび高オレイン酸大豆油から誘導される脂肪酸部分のメチルエステルの混合物の反応から誘導される）は、２５℃で測定される場合および１００℃で測定される場合の両方の力率に関して、より良好な電気特性を示す。比較例Ｂの流体の極めて高い力率は、誘電流体としてのその使用を排除する。対照的に、実施例５の流体の特徴は、誘電流体としての使用のために適切であることを示す。酸化安定性を反映するＯＳＩ値に関して、Ｅｎｖｉｒｏｔｅｍｐ（登録商標）ＦＲ３（商標）およびＭｉｄｅｌ（登録商標）７１３１流体はともに、添加された酸化防止剤を含有するため、より意味のある比較は、これらの材料は添加された酸化防止剤を含有しないため、実施例４〜８および比較例Ｂの誘電流体間である。実施例４〜８の流体は、比較例Ｂよりも著しく長い誘導期を示し、より高い含有量の不飽和部分によって提供されるより高い酸化安定性を反映する。
本発明のまた別の態様は、以下のとおりであってもよい。
〔１〕ａ）ペンタエリスリトール、トリメチロールプロパン、ネオペンチルグリコールまたはそれらの組み合わせを含んでなるポリオールと、
ｂ）脂肪酸部分を含んでなる高オレイン酸大豆油であって、
ｉ）前記油中の脂肪酸部分の６５％より高いＣ１８：１含有量、ならびに
ｉｉ）前記油中の脂肪酸部分の２０％未満の組み合わせられたＣ１８：２およびＣ１８：３の含有量
を有する、高オレイン酸大豆油から誘導される脂肪酸エステルの混合物と
の反応から誘導されるポリオールエステルを含んでなる混合物
を含んでなる誘電流体。
〔２〕約２８０℃より高い発火点を有する、前記〔１〕に記載の誘電流体。
〔３〕約−１０℃未満の流動点を有する、前記〔２〕に記載の誘電流体。
〔４〕４０℃で約４５ｃＳＴ未満および１００℃で約１４ｃＳＴ未満の粘度を有する、前記〔１〕に記載の誘電流体。
〔５〕２５℃で約０．１５％未満および１００℃で約５％未満の力率を有する、前記〔１〕に記載の誘電流体。
〔６〕２５℃で１ｍｍ間隙で測定される場合、約３５ｋＶより高い誘電破壊電圧を有する、前記〔１〕に記載の誘電流体。
〔７〕１１０℃で少なくとも約８時間の油安定性指数を有する、前記〔１〕に記載の誘電流体。
〔８〕酸化防止剤、腐食抑制剤、金属不活性化剤および流動点降下剤からなる群から選択される少なくとも１種の添加剤をさらに含んでなる、前記〔１〕に記載の誘電流体。
〔９〕植物油、藻類油、高オレイン酸大豆油以外の植物油から誘導される１種または複数種のポリオールエステル、鉱油、シリコーン流体、合成エステル、ポリアルファオレフィンまたはそれらの混合物からなる群から選択されるブレンド成分をさらに含んでなる、前記〔１〕に記載の誘電流体。
〔１０〕前記ポリオールがペンタエリスリトールを含んでなる、前記〔１〕に記載の誘電流体。
〔１１〕前記ポリオールがトリメチロールプロパンを含んでなる、前記〔１〕に記載の誘電流体。
〔１２〕前記ポリオールがネオペンチルグリコールを含んでなる、前記〔１〕に記載の誘電流体。
〔１３〕前記Ｃ１８：１含有量が前記油中の前記脂肪酸部分の７０％より高く、かつ前記組み合わせられたＣ１８：２およびＣ１８：３の含有量が前記油中の前記脂肪酸部分の１５％未満である、前記〔１〕に記載の誘電流体。
〔１４〕ＯＥＣＤ  Ｇｕｉｄｅｌｉｎｅ  ３０１Ｂに従う２８日ＣＯ2放出試験の条件で「易生分解性」の基準を満たす、前記〔１〕に記載の誘電流体。
〔１５〕ａ）脂肪酸部分を含んでなる高オレイン酸大豆油であって、
ｉ）前記油中の脂肪酸部分の６５％より高いＣ１８：１含有量、ならびに
ｉｉ）前記油中の脂肪酸部分の２０％未満の組み合わせられたＣ１８：２およびＣ１８：３の含有量
を含んでなる、高オレイン酸大豆油を提供する工程と、
ｂ）第１の塩基触媒の存在下で、前記高オレイン酸大豆油を、１〜５個の炭素の鎖長を有する脂肪族モノアルコールと反応させ、グリセロールと脂肪酸エステルの混合物とを含んでなる反応混合物を製造する工程と、
ｃ）前記グリセロールを分離および除去する工程と、
ｄ）第２の塩基触媒の存在下で、前記脂肪酸エステルの混合物を、ペンタエリスリトール、トリメチロールプロパン、ネオペンチルグリコールまたはそれらの組み合わせを含んでなるポリオールと反応させ、ポリオールエステルの混合物を製造する工程と
を含んでなる、ポリオールエステルの混合物の調製方法。
〔１６〕ａ）ペンタエリスリトール、トリメチロールプロパン、ネオペンチルグリコールまたはそれらの組み合わせを含んでなるポリオールと、
ｂ）脂肪酸部分を含んでなる高オレイン酸大豆油であって、
ｉ）前記油中の脂肪酸部分の６５％より高いＣ１８：１含有量、ならびに
ｉｉ）前記油中の脂肪酸部分の２０％未満の組み合わせられたＣ１８：２およびＣ１８：３の含有量
を有する、高オレイン酸大豆油から誘導される脂肪酸エステルの混合物と
の反応から誘導されるポリオールエステルを含んでなる混合物
を含んでなる、誘電流体を含んでなる電気装置。
〔１７〕変圧器、蓄電器、流体充填伝送線路、送電線、誘導子または高圧スイッチである、前記〔１６〕に記載の電気装置。
〔１８〕少なくとも１０重量％の誘電流体で含浸された誘電物質であって、セルロース紙、合成紙または不織布ウェブを含んでなり、かつ前記誘電流体が、
ａ）ペンタエリスリトール、トリメチロールプロパン、ネオペンチルグリコールまたはそれらの組み合わせを含んでなるポリオールと、
ｂ）脂肪酸部分を含んでなる高オレイン酸大豆油であって、
ｉ）前記油中の脂肪酸部分の６５％より高いＣ１８：１含有量、ならびに
ｉｉ）前記油中の脂肪酸部分の２０％未満の組み合わせられたＣ１８：２およびＣ１８：３の含有量
を有する、脂肪酸部分を含んでなる高オレイン酸大豆油から誘導される脂肪酸エステルの混合物と
の反応から誘導されるポリオールエステルを含んでなる混合物
を含んでなる、誘電物質。